Podtech/llm-jp-corpus-v4-ja_patent huggingface dataset:
(57)【要約】【課題】皮膚に直接貼付するシートで、シート貼付面を押圧すると同時にリフトアップし皮膚刺激効果を高めると共に、シート貼付面のかぶれ低減と保温効果を高めることを課題とする。【解決手段】粘着シート１の粘着面側に網目状じゃまいた板２を貼り付けた構造を特徴とする貼付シート。粘着シート１と網目状じゃまいた板２を組み合わせることにより、網目状じゃまいた板２の開口部接着面のリフトアップ作用と網目状じゃまいた板２の皮膚付着部の押圧作用で皮膚刺激効果を高めると同時に、網目状じゃまいた板２の介在により、皮膚接着面積が減少することによるかぶれの低減と密閉空隙の発生での保温効果が発揮されるシート片を提供する。【選択図】図１
2014001193.tif 000002
【特許請求の範囲】
【請求項１】
粘着シート１の粘着面側に網目状じゃまいた板２を貼り付けて一体化した構造を特徴とする貼付シート
【請求項２】
粘着シート１、又は、網目状じゃまいた板２、もしくは両方に凹凸をつけて皮膚接着面や皮膚付着面の押圧作用を高めることを特徴とする請求項１記載の貼付シート
【請求項３】
粘着シート１、又は、網目状じゃまいた板２、もしくは両方に磁気材料や遠赤外線放射材料やマイナスイオン発生材料などの機能性材料を添加することにより皮膚接着面や皮膚付着面の血流促進効果を高めることを特徴とする請求項１記載の貼付シート
【請求項４】
粘着シート１、又は、網目状じゃまいた板２、もしくは両方に薬品を添加することにより皮膚接着面や皮膚付着面への薬品浸透効果を加えることを特徴とする請求項１記載の貼付シート
【発明の詳細な説明】
【技術分野】
【０００１】  本発明は、皮膚に直接貼り付けて使用するのに適した貼付シートに関するものである。
【背景技術】
【０００２】  従来よりシートの片面側に粘着剤を塗布してなる圧迫シートやシップ剤シート、又は、粘着剤シート面にマグネット粒や金属粒や薬剤粒を接着した各種貼付シートが開発され市販されている。但し、従来の貼付シートは粘着面や粒状物での押圧作用を目的とするものであって、粘着面でのリフトアップ作用が発揮されるものは無かった。また、従来の貼付シートは大型化すれば皮膚接着面積が増大して皮膚面のかぶれが心配された。また、貼付シート自体でのシート貼付面の保温効果を高めるものが無かった。
【発明の概要】
【発明が解決しようとする課題】
【０００３】  皮膚に直接貼付するシートで、シート貼付面を押圧すると同時にリフトアップし皮膚刺激効果を高めると共に、シート貼付面の皮膚のかぶれ低減と保温効果を高めることを課題とする。
【課題を解決するための手段】
【０００４】  粘着シート１の粘着面側に、網目状じゃまいた板２を貼り付けた構造を特徴とする貼付シート。粘着シート１と網目状じゃまいた板２を組み合わせることにより、網目状じゃまいた板２の開口部接着面のリフトアップ作用と網目状じゃまいた板２の皮膚付着部の押圧作用で皮膚刺激効果を高めると同時に、網目状じゃまいた板２の介在により、皮膚接着面積が減少することによる皮膚面のかぶれ低減と密閉空隙の発生での保温効果が発揮されるシート片を提供する。
【発明の効果】
【０００５】  粘着シート１の粘着剤は、網目状じゃまいた板２の開口部の皮膚に粘着力で接着する。この時、粘着シート１は網目状じゃまいた板２開口部の接着面の皮膚を網目状じゃまいた板２の厚みに比例して皮膚面の垂直方向にリフトアップする。また網目状じゃまいた板２は粘着シート１の粘着圧迫力により皮膚を押圧する。粘着シート１と網目状じゃまいた板２を組み合わせることにより、網目状じゃまいた板２開口部の皮膚接着面のリフトアップ作用と網目状じゃまいた板２の皮膚付着面の押圧作用で皮膚刺激効果を増加させるものである。また粘着シート１の皮膚接着面積が網目状じゃまいた板２に阻まれて減少するので皮膚面のかぶれが低減する。また網目状じゃまいた板２が粘着シート１と皮膚面の間に介在することにより粘着シート１と網目状じゃまいた板２と皮膚面に密閉空隙が発生し、空気層による保温効果が発揮される。実際の貼付シートは粘着面を保護する為に、貼付シート１と網目状じゃまいた板２を一体化した粘着面側に離型紙を貼り付けておき、皮膚に添付する直前に離型紙を剥がして網目状じゃまいた板２側の面を人体皮膚に直接貼付する。
【図面の簡単な説明】
【０００６】
【図１】本発明の粘着シート１と網目状じゃまいた板２と離型紙３の形状を示す説明図である。
【図２】本発明の実施形態における皮膚粘着面側を示す説明図である。
【図３】皮膚に付着した状態の実施形態である貼付シートの構成を示す図２における断面図Ａ−Ａ線である。
【図４】粘着シート１の皮膚接着部のリフトアップされた皮膚面を示す説明図である。
【図５】網目状じゃまいた板２の皮膚付着部の押圧された皮膚面を示す説明図である。
【符号の説明】
【０００７】      １、４、８  粘着シート１
２、５、９  網目状じゃまいた板２
３          離型紙
６          皮膚
７          密閉空気層
【図１】
2014001193.tif 000003
【図２】
2014001193.tif 000004
【図３】
2014001193.tif 000005
【図４】
2014001193.tif 000006
【図５】
2014001193.tif 000007
(57)【要約】      （修正有）【課題】帽子はＵＶカットの面においても良い物だが、今までは、あごひもで風に飛ばされるのを防いでいたが、見た目が悪く、あごひものない帽子が多かった。ひも又はゴムひもを目立たなくし、おしゃれに帽子を被りながら、風に帽子が飛ばされても、帽子が下に落ちないようにしたものを提供する。【解決手段】帽子１のひも又はゴムひも２を、後ろにまわすことにより、ひも又はゴムひも２が目立たなくなる。しかも、髪の間に、ひも又はゴムひも２をはさみ、髪を結ぶことや、髪留めで、ひも又はゴムひも２を固定することにより、帽子は、風に飛ばされても下に落ちない。【選択図】図３
2014001489.tif 000002
【特許請求の範囲】
【請求項１】
帽子（１）（３）の耳の後ろに当たる部分にひも又はゴムひも（２）を取り付け、髪の間にはさむことにより、帽子（１）（３）を頭に固定させるものである。その時に髪用ゴム留め（４）や髪留め（５）で留めることにより、風に帽子（１）（３）が飛ばされた時でも、帽子（１）（３）が下に落ちないので、すぐに帽子（１）（３）を被ることが出来る。
【発明の詳細な説明】
【技術分野】
【０００１】  本発明は、帽子を被った際に、風などに飛はされないためのもので、かつ、おしゃれに帽子を被る事が出来るものである。
【背景技術】
【０００２】  従来、帽子が飛ばないようにするには、あごにゴムをかけていたが、あごひもは、あまり、おしゃれではなく人気がなかった。
【先行技術文献】
【０００３】
【発明の概要】
【発明が解決しようとする課題】
【０００４】  従来の帽子のあごひもには、次のような欠点があった。
（イ）あごひも、あるいはゴムは目立つので見栄えが悪く、おしゃれさに欠けていた。
本発明は、以上の問題点を解決するために、発明されたものである。
【課題を解決するための手段】
【０００５】  帽子（１）（３）にひも又はゴムひも（２）を取り付ける。
【発明の効果】
【０００６】  本発明を使用することによって、ひも又はゴムひもが髪の中に隠れ、見た目にもおしゃれである。そして、風で帽子が飛んだとしても、下に帽子が落ちずに、かつ、すぐに帽子を被ることが出来る。
【図面の簡単な説明】
【０００７】
【図１】本発明のキャップ型帽子の場合の斜視図
【図２】本発明のハット型帽子の場合の斜視図
【図３】本発明の使用時の長髪の場合の斜視図
【図４】本発明の使用時の短髪の場合の斜視図
【図５】本発明のハット型帽子の使用時の斜視図
【発明を実施するための形態】
【０００８】以下、本発明の実施の形態を説明する。
（イ）帽子（１）（３）の耳に接する後ろ側にひも又はゴムひも（２）を設ける。
（ロ）帽子（１）（３）を被った時に、髪の毛の間にひも又はゴムひも（２）をはさみ、髪留め用ゴム又は髪留めで、留める。
（ハ）解かり易くするために、キャップ型の帽子の図を書いたが、ハット型帽子の方が日よけ効果も高く、ひも又はゴムひも（２）も目立たないので良い。
【符号の説明】
【０００９】１  キャップ型帽子
２  ひも又はゴムひも
３  ハット型帽子
４  髪留め用ゴム
５  髪留め
【図１】
2014001489.tif 000003
【図２】
2014001489.tif 000004
【図３】
2014001489.tif 000005
【図４】
2014001489.tif 000006
【図５】
2014001489.tif 000007
(57)【要約】      （修正有）【課題】机上の事務作業で事務機やパソコンを扱うとき、肘の痛みを和らげ、違和感無く事務作業が行える携帯可能な肘当て具を提供する。【解決手段】小さくて柔軟性があり肘と一緒に移動可能な肘当て２であって、肘当て底部が滑りやすく加工されており、携帯が可能であるとともに、装着用バンド４で容易に肘に装着することにより、事務の机上業務で両肘を付いたまま、肘当てが外れること無く、痛みも違和感も無く容易に素早く業務を遂行できる。【選択図】図１
2014001486.tif 000002
【特許請求の範囲】
【請求項１】
机上で両肘を当てて事務作業する時、肘に装着可能で、肘と一緒に移動可能な肘当て。
【請求項２】
柔らかな材料で作った、左右両側の肘に別々に装着可能で肘当て底部が滑りやすく加工された、机上で容易に動かせる移動可能な肘当て。
【請求項３】
小さな携帯可能で肘に装着可能で、バンド状の肘への装着具の付いた移動可能な肘当て。
【請求項４】
肘に装着用バンドとは肘当てを容易に肘に装着できるよう、又使用時も違和感や圧迫感を覚えることの無い、ソフトで弾力性のある帯状の生地を２箇所に、輪状に加工取り付けした物や、マジックテープを使って接着し輪状にする物も含む。
【発明の詳細な説明】
【技術分野】
【０００１】本発明は、机上で事務仕事する時、両肘を付いたまま机上のものを取ったり、離れたパソコンを操作する時、両肘に装着出来る移動可能な肘当てに関するものである。
【背景技術】
【０００２】従来は、机上のものを両肘付いたまま取ったり、離れたパソコンを操作したりすると両肘を机にこすり、肘に痛みを感じた。又はパット状の物を肘下に敷くか、一度立ち上がり、パソコンや事務器を胸元に持ち寄せなければならなかった。
【発明の開示】
【発明が解決しようとする課題】
【０００３】座ったまま机上の物を引き寄せたり、離れたパソコンを操作す時は両肘をこすってやるか、敷き物を肘下に敷くか、一度立ち上がって胸元に持ち寄る事が必要だった。
本発明はこれらの問題を解決する為になされたものである。
【課題を解決するための手段】
【０００４】机上で両肘を付いた時、肘下に敷くだけでなくおのおのの肘に装着する、机上で容易に動かせられる移動可能な肘当てである。
【発明の効果】
【０００５】本発明、容易に装着可能で移動可能な肘当ては机上で両肘を付いたまま、スムースに動かせ、肘に痛みも生じない。又肘当ては置くだけでなく肘に装着する為、肘からずれたり、外れたりする事は無い。
【発明を実施するための形態】
【０００６】机上で肘に装着する、柔らかな材料で作った、軽く小さな携帯可能で肘への装着用バンドが付いた、肘に装着可能な肘当てである。
装着可能で移動可能な肘当てとは、パッド状の肘当ての下にローラーやボール状の物を取り付けた物やパッド状の肘当ての下を滑りやすく加工したものも含む。
【図面の簡単な説明】
【０００７】
【図１】移動可能な肘当て斜視図Ａ
【図２】移動可能な肘当ての側面図
【図３】移動可能な肘当ての平面図
【符号の説明】
【０００８】（１）両肘  （２）移動可能な肘当て  （３）机  （４）肘装着用バンド
【図１】
2014001486.tif 000003
【図２】
2014001486.tif 000004
【図３】
2014001486.tif 000005
(57)【要約】【課題】鋼の割れが発生し難くなるようにする。【解決手段】まず、工程Ｓ１０１で、鋼からなる構造体の深さ５μｍまでの表面層を高周波加熱法により鋼の変態点の温度以上に加熱する（第１工程）。加熱する表面層の深さ（厚さ）は、オーステナイト鋼の披露破面に見られるストライエーションの縞の間隔（１〜５μｍ）程度とすればよい。次に、第２工程Ｓ１０２で、加熱された構造体の表面層を焼き戻して構造体の表面をソルバイトとする（第２工程）。例えば、高周波電流の値（電流値）を低下させることで、１時間に６０℃以下の冷却速度で徐々に冷却すればよい。【選択図】  図１
2014001425.tif 000002
【特許請求の範囲】
【請求項１】
鋼からなる構造体の深さ５μｍまでの表面層を高周波加熱法により前記鋼の変態点の温度以上に加熱する第１工程と、
加熱された前記構造体の表面層を焼き戻して前記構造体の表面をソルバイトとする第２工程と
を備えることを特徴とする鋼の加工方法。
【発明の詳細な説明】
【技術分野】
【０００１】
本発明は、鋼の表面を加工する鋼の加工方法に関するものである。
【背景技術】
【０００２】
鋼は、刃物、自動車や鉄道などの機械、また、鉄骨や鉄筋などとして建築物などの建築要素（固定構造体）の部材として広く用いられている。このような様々の用途に用いられている鋼において、疲労や脆化により割れる現象が知られている。この割れの初期段階では、鋼の表面に亀裂が発生する。鋼の割れは、様々な問題を起こすため、何らかの対策が必要となる。
【先行技術文献】
【非特許文献】
【０００３】
【非特許文献１】西川 精一 著、「金属工学入門」、株式会社アグネ技術センター発行、３２２−３２３頁、１９８５年。
【発明の概要】
【発明が解決しようとする課題】
【０００４】
ところで、一般に、鋼は表面を硬化させて使用する場合が多い。例えば、高周波焼き入れ法により鋼の表面をより高い硬度として用いる技術が開発されている（非特許文献１参照）。しかしながら、内部よりも外側のほうが応力や環境の影響を受けやすく、上述した鋼の割れは、鋼の表面に発生した亀裂より進行する。この亀裂は、脆化により起こりやすくなり、また硬化されているほど起こりやすい。従って、上述したように、表面を硬化させている鋼は、特に割れが発生しやすいものとなる。
【０００５】
本発明は、以上のような問題点を解消するためになされたものであり、鋼の割れが発生し難くなるようにすることを目的とする。
【課題を解決するための手段】
【０００６】
本発明に係る鋼の加工方法は、鋼からなる構造体の深さ５μｍまでの表面層を高周波加熱法により鋼の変態点の温度以上に加熱する第１工程と、加熱された構造体の表面層を焼き戻して構造体の表面をソルバイトとする第２工程とを備える。
【発明の効果】
【０００７】
以上説明したことにより、鋼の表面を靱性に富む状態としているので、本発明によれば、鋼表面における亀裂の発生が抑制され、鋼の割れが発生し難くなるという優れた効果が得られる。
【図面の簡単な説明】
【０００８】
【図１】図１は、本発明の実施の形態における鋼の加工方法を説明するフローチャートである。
【図２】図２は、本発明の実施の形態における鋼の加工方法により加工した鋼の状態を示す断面図である。
【発明を実施するための形態】
【０００９】
以下、本発明の実施の形態について図を参照して説明する。図１は、本発明の実施の形態における鋼の加工方法を説明するフローチャートである。この加工方法は、まず、工程Ｓ１０１で、鋼からなる構造体の深さ５μｍまでの表面層を高周波加熱法により鋼の変態点の温度以上に加熱する（第１工程）。加熱する表面層の深さ（厚さ）は、オーステナイト鋼の疲労破面に見られるストライエーションの縞の間隔（１〜５μｍ）程度とすればよい。
【００１０】
また、以下の式（１）で示されるδが、上述した表面層の深さ程度となるように、高周波電流の周波数などを決定し、高周波加熱法により上記鋼の加熱処理を行えばよい（非特許文献１参照）。なお、式（１）において、σは鋼からなる構造体の導電率（（Ω・ｃｍ）-1）、ｆは周波数、μτは実効導磁率である。また、ρ＝１／σ（Ω・ｃｍ）であり、比抵抗である。
【００１１】
【数１】
2014001425.tif 000003
【００１２】
温度については、鋼の変態成分から適宜選べばよいが、鋼が炭素鋼であり常温でマルテンサイト組織を有する場合には，６００℃あるいはそれを越える温度まで加熱すればよい。
【００１３】
以上のようにして、構造体の表面層を鋼の変態点温度以上に加熱した後、第２工程Ｓ１０２で、加熱された構造体の表面層を焼き戻して（焼き鈍し）、構造体の表面をソルバイトとする（第２工程）。例えば、高周波電流の値（電流値）を低下させることで、１時間に６０℃以下の冷却速度で徐々に冷却すればよい。この結果、図２に示すように、鋼から構成された構造体２０１の、深さ５μｍ程度の表面層２０２は、ソルバイトから構成され、内側領域２０３は、マルテンサイトの状態とすることができる。
【００１４】
ところで、実用の鋼材であれば、大きさはｃｍ程度であり、μｍ単位の深さの表面部分で強度低下があったとしても、鋼材全体では１／１００００００程度の強度低下しかない。従って、６〜７桁の精度で強度設計を行う必要のある特殊構造物以外であれば、一般的には強度の低下は無視できると考えられる。
【００１５】
以上に説明したように、本発明によれば、高周波加熱法による表面層の焼き戻し処理で、表面層をソルバイトとしたので、疲労や脆化による鋼の割れが発生し難くい状態とすることが容易に実現できる。
【００１６】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００１７】
２０１…構造体、２０２…表面層、２０３…内側領域。
【図１】
2014001425.tif 000004
【図２】
2014001425.tif 000005
(57)【要約】【課題】種々の温泉水「源泉」100%を又岩盤水(蒸気)を生地に含有加工し得たもので、その生地を温泉袋、腹帯等に使用し家庭内にて使用できる温泉水を用いた健康用品を提供するものである。【解決の手段】強酸性水の含有加工品は、温泉袋の外袋は毛布ポリエステル100%、内袋はポリエステル100%又は、バスタオル綿85%以下の混合繊維で二重構造にした袋をつくる。内袋は温泉水(源泉)100%又岩盤水(蒸気)を生地に含有加工し得たものを使用し、面ファスナーを取り付け、取りはずし、取替え可能な1体とする。腹帯は温泉袋と同様に温泉水(源泉)100%から75%を使用した温泉水を含有加工したものである。ステンレス製容器に温泉袋、腹帯等を入れ、源泉水を入れ、70℃まで温度が上がったら火を止め、蓋をして1時間待ち、水分40%残し、60%を脱水する。脱水後、遠赤外線にて乾燥する。【選択図】図１
2014001466.tif 000002
【特許請求の範囲】
【請求項１】
生地に温泉水を吸収させ、加熱処理後、乾燥する事により得られることを特徴とする、身体保温生地。  
【請求項２】
請求項１に記載の生地を用いて製造した、身体保温用温泉袋、身体保温用腹帯。                                                            
【発明の詳細な説明】
【技術分野】
【０００１】
本発明は、温泉水(源泉)１００%を活用し、生地に含有加工し得たもので身体を暖め体質の改善に効果の有する生地の生産に関する。
【背景技術】
【０００２】
身体を暖め、心地良く睡眠をとる為に、電気毛布、電気敷布、電気アンカ、アンカ、靴下等色々と利用されている。
【先行技術文献】
【特許文献】
【０００３】
【特許文献１】特開平９−１１１６６４
【０００４】
【特許文献２】特開２０１０−２６４０５７
【０００５】
【特許文献３】実用新案登録第３１２３７００号
【発明の概要】
【発明が解決しようとする課題】
【０００６】
上述の方法では、経済的負担も大きく、電気器具の利用は体力的に負担がかかり、マンネリ化の傾向も見られる、靴下などは足に汗をかくという欠点がある
【課題を解決するための手段】
【０００７】
本発明は、温泉水(源泉)１００%を、含有し加熱処理加工した生地の成分は、温泉の成分と同様である温泉水の成分の効能に準じる。その為体温も上り、冷え症の人、高齢者の人々が温泉の足湯浴に入っていると同様、足元から体温が上がり  血行も良くなる。持病の人も家庭にて温泉浴気分にひたり体質の改善等も可能である。温泉袋に両足を楽に挿入するためにアーチを設け、又固定するために温泉袋の四隅又は主要部分を敷布と温泉袋をロックピンで取り付け、本人の身長に合わせ位置を固定する。
【発明の効果】
【０００８】
毎日就寝する際に、両足を温泉袋に挿入するだけで家庭での足湯浴が満たされ、足元より身体全体に自然に暖かさを感じ、睡眠を誘う。小用も少なく熟睡できる。腹帯は内蔵を温めるので腸内運動を活発にする。使用者に適する温泉水を選定する事も可能である。又腹帯も独自の温泉水の選定により効果を生みだす。腹帯も同じ温泉水にすると効果的である。温足袋と腹帯を同時に使用することに睡眠中に身体の体調を改善することが期待できる。例として、強酸性水は体質の改善に効果的で、ナトリウム、塩化物泉等は女性の美肌などに効果的である。
【図面の簡単な説明】
【０００９】
【図１】本発明に関わる温泉袋の外袋と内袋を組み合わせた温泉袋1体の斜視図である。
【図２】本発明に関わる温泉袋の外袋の斜視図である。
【図３】本発明に関わる温泉袋の内袋の斜視図である。
【図４】本発明に関わる温泉袋の外袋と内袋を組み合わせた温泉袋1体の断面図である。
【図５】本発明に関わる温泉腹帯の正面図である。
【発明を実施するための形態】
【００１０】
温泉袋の内袋は、温泉水(源泉)１００%を、生地に含有し加工処理し得たもので、温泉浴と同じ効能成分を生み出し血行を良くし、体質の改善に効果的に促進する。温泉袋の内袋の足の挿入口に、ホワイトABSまるパイプ5mmを使用し,アーチ形の挿入口を設け、両足の挿入を滑らかにする効果を得る。温泉袋の４ツ隅又要所にロックピンで、敷布と温泉袋を本人の身長に合わせ固定する事により温泉袋のずれを防止する事が出来る。腹帯には温泉水(源泉)１００%から75%を加工処理して、着帯すると腹と腰が暖かくなり、腹と腰で悩んでる方等は、血行の促進により、体質の改善が進み健康上最良の形態になる。  
【００１１】
以下に、製造例、試験例、を上げて説明するが本発明は、これらに限定されるものでない。
【実施例】
【００１２】
温泉水含有生地の作製法は、まずステンレス製容器に温足袋内袋あるいは腹帯を入れその上に温泉水(源泉100%)を入れ70℃まで温度が上がったら火を止め、蓋をして1時間維持する。温足袋内袋あるいは、腹帯を取出し水分40%残し脱水し、次いで、遠赤外線にて乾燥する。
【００１３】
強酸性水は綿に強い腐食作用があるので、生地を綿８５%以下の混合繊維で加工する。  腐食作用は温泉水によって種々多様である。
【００１４】
温足袋の内袋に温泉水(源泉)１００%含有処理加工し得た生地を使用しているので、足元から身体を暖め血行を促進させ、温泉の足湯浴と同じ効果を得ている。
【００１５】
腹帯、にも温泉水(源泉)１００%含有処理加工しているので温泉袋と同じ効果が得られる。
【符号の説明】
【００１６】
1「外袋」            内袋の含有加工の効果を温存するため。
2「外袋の前の部分」  足を滑らせ内袋に挿入しやすくする部分。
3「内袋」            外袋の中に入れ、１体として使用する。
4「面ファスナー」  内袋と外袋１体にするために使用する、又取替え可能にする。
5「ABS丸棒５mm」    アーチ型の入口を造り、両足の挿入を滑らかに出し入れする。
6「固定するゴム」    温足袋と敷布の固定。
7「アーチ型用パイプ」
【図１】
2014001466.tif 000003
【図２】
2014001466.tif 000004
【図３】
2014001466.tif 000005
【図４】
2014001466.tif 000006
【図５】
2014001466.tif 000007
(57)【要約】【課題】  雨の日や水たまりなどで足元が悪いときに履物を汚したり、躓いたりして危なかった。  本発明は、暗い場所などで、車の乗り降りがしやすいように工夫したドアハンドルＬＥＤライトシステムを提供する。【解決手段】  車のドアロックをすると、ロックレバーの内側に設けたマイクロスイッチにより、インバータ回路の出力が反転して、ラッチングリレーがＯＮになり、コンデンサーの放電が始まり、信号がＮＯＲワンショット回路−デイレー・ライトに達し、ドアハンドルの内部に設けたＬＥＤライトが約１０秒間点灯し、ドアハンドルを光らせて足元も照らし約１０秒経過すると、ＬＥＤライトが消灯することを特徴とするドアハンドルＬＥＤライトシステム。【選択図】図１
2014001611.tif 000002
【特許請求の範囲】
【請求項１】
車のドアロックをすると、ロックレバーの後ろに一部分隠れるような形で設けたマイクロスイッチにより、インバータ回路の出力が反転してラッチングリレーがＯＮになり、コンデンサーの放電が始まり、信号がＮＯＲワンショット回路−デイレー・ライトに達し、ドアハンドルの内部に設けたＬＥＤライトが約１０秒間点灯し、ドアハンドルを光らせて足元も照らし、約１０秒経過するとＬＥＤライトが消灯することを特徴とするドアハンドルＬＥＤライトシステム。
【発明の詳細な説明】
【技術分野】
【０００１】  本発明は、暗い場所などで、車の乗り降りがしやすいように工夫したドアハンドルＬＥＤライトシステムに関するものである。
【背景技術】
【０００２】  従来、暗い場所で、車の乗り降りをするとき、足元やドアハンドルが見づらいため不便だった。
【発明の概要】
【発明が解決しようとする課題】
【０００３】  そのために、次のような問題点がある。
暗い場所などでは、足元が見えなくて、車の乗り降りが大変だった。
雨の日や水たまりなどで、足元が悪いときに、履物を汚したり、躓いたりして危なかった。
本発明は、以上の問題点を解決するためになされたものである。
【課題を解決するための手段】
【０００４】  車のドアロックをすると、ロックレバーの後ろに一部分隠れるような形で設けたマイクロスイッチにより、インバータ回路の出力が反転してラッチングリレーがＯＮになり、コンデンサーの放電が始まり、信号がＮＯＲワンショット回路−デイレー・ライトに達し、ドアハンドルの内部に設けたＬＥＤライトが約１０秒間点灯し、ドアハンドルを光らせて、足元も照らす。
約１０秒経過すると、ＬＥＤライトが消灯する。
以上の構成よりなるドアハンドルＬＥＤライトスステムである。
【発明の効果】
【０００５】  暗い場所などでも、足元が見えるので、車の乗り降りが簡単にできる。
雨の日や水たまりなどで、足元が悪いときに、履物を汚したり、躓いたりすることがなくなった。
【図面の簡単な説明】
【０００６】
【図１】  本発明が機能しているときの回路図である。
【図２】  本発明の実施例を車内から見た状態を示した斜視図である。
【図３】  本発明の実施例を車のドアの外から見た状態を示した斜視図である。
【発明を実施するための形態】
【０００７】  以下、本発明の実施の形態について説明する。
車のドアロックをすると、ロックレバー（７）の内側に設けたマイクロスイッチ（３）により、インバータ回路（１）の出力が反転して、ラッチングリレー（５）がＯＮになりコンデンサーの放電が始まり、信号がＮＯＲワンショット回路（４）−デイレーライト（６）に達し、ドアハンドル（９）の内部に設けたＬＥＤライト（８）が約１０秒間点灯し、ドアハンドル（９）を光らせて、足元も照らし、約１０秒経過すると、ＬＥＤライト（８）が消灯する。
本発明は以上のような構造である。
本発明を使用するときは、車のドアロックをすると、ロックレバー（７）の内側に設けたマイクロスイッチ（３）により、インバータ回路（１）の出力が反転して、ラッチングリレー（５）がＯＮになり、コンデンサーの放電が始まり、信号がＮＯＲワンショット回路（４）−デイレー・ライト（６）に達し、ドアハンドル（９）の内部に設けたＬＥＤライト（８）が約１０秒間点灯し、ドアハンドル（９）を光らせて、足元も照らし、約１０秒経過すると、ＬＥＤライト（８）が点灯する。
ここから先は、ドアロックの解錠をしたときの信号の流れであり、ロックレバー（７）の内側に設けたマイクロスイッチ（３）により、ＯＮインバータ回路（２）の出力が反転して、ラッチングリレー（５）がＯＦＦになり、コンデンサーの放電が始まり、信号がＮＯＲワンショット回路（４）−デイレー・ライト（６）に達し、ドアハンドル（９）に設けたＬＥＤライト（８）が約１０秒間点灯し、ドアハンドル（９）を光らせて足元も照らし、約１０秒経過すると、ＬＥＤライト（８）が消灯する。
また、車のドアを開けたり、スモールランプを点灯したり、車に近づいたりしてもＬＥＤライト（８）が点灯する。
【符号の説明】
【０００８】    １  インバータ回路
２  ＯＮインバータ回路
３  マイクロスイッチ
４  ＮＯＲワンショット回路
５  ラッチングリレー
６  デイレー・ライト
７  ロックレバー
８  ＬＥＤライト
９  ドアハンドル
【図１】
2014001611.tif 000003
【図２】
2014001611.tif 000004
【図３】
2014001611.tif 000005
(57)【要約】【課題】  コンクリート型枠の出隅部の鋼管等の締め付けは職人の経験、技術に頼る処が多く、躯体不良が多くでます、コーナーを押さえる為の金具はありますが、コスト、信頼性等を満たす物がない。【解決手段】  本発明の金具は職人の経験、技術に頼らないで出隅部の交差した鋼管等を素早く確実に固定することが出来、躯体不良を減らすことが出来、作業性、コスト、信頼性とも、すぐれている。【選択図】図６
2014001614.tif 000002
【特許請求の範囲】
【請求項１】
交差した鋼管の片方にセルフロック機構を利用しロックさせ、もう片方の鋼管を堰板方向に押しつける作用を特徴とする型枠コーナー締め金具。
【請求項２】
交差した鋼管に２個取り付けそれぞれのボルトでもう一方のロックプレートを締め付け、バイブレーター等使用時に緩み止作用を特徴とする型枠コーナー締め金具。
【請求項３】
鋼管等に差し込む穴とつめとロックプレートと及び押さえボルト等によって構成された事を特徴とする型枠コーナー締め金具。
【発明の詳細な説明】
【技術分野】
【０００１】  型枠工事の出隅締め付け金具
【背景技術】
【０００２】  コンクリートの型枠工事において壁や柱等出隅部分は、躯体不良が発生しやすい箇所です、セパレーターがコーナー近くに取り付けしにくいのが一因で、コンクリート打設時に締め付けに使っている鋼管等がコンクリートの圧力に負け僅かに曲がって、堰板が膨れてしまいます、その対策として従来は締め付けの水平に突き出している二本の交差した鋼管の角に別の鋼管を垂直に立てその鋼管をチェーンとターンバックルを使い締め付け前記水平の二本の鋼管が曲がらないようにします、その他にも問題点はあり特許文献２（特許３７７９１８１）にも記述されています、その作業は職人の熟練と経験を要する作業であり、大抵はコンクリートを打設して膨れが出てきて不良箇所を知る事になります、しかしながらその時は既に手遅れで、打設しながら型枠を直すのは不可能です、後日型枠を解体して膨れたコンクリートを削って修正する事になります。
【先行技術文献】
【特許文献】
【０００３】
【特許文献１】  特許３５４７８２３の図１３
【特許文献２】  特許３７７９１８１
【発明が解決しようとする課題】
【０００４】  型枠の出隅部の鋼管の押さえ方は前記の特許文献２（特許３７７９１８１）にも詳しく記述されていてコーナー締めに使う各種金具等の記載もあります、しかしながらどの金具も完璧とは言いがたく、作業性、コスト、信頼性等に欠けるきらいがあります、その金具１つ々の問題をいちいち記述することは２重になりますので此処では省略します、現在求められているのは手早く出来て低コストかつ信頼性です、信頼性を求めるなら、喩えば二本の交差した鋼管をそれぞれ溶接して相互に固定すればせき板の膨れは少なくなると思えます。
【課題を解決するための手段】
【０００５】  前記の様に溶接すれば問題は解決するのでしょうが、型枠は打設後直ぐに解体しなければならないので溶接は出来ません、要するに二本の鋼管をお互いに固定し、せき板側に押し付ける働きがあればいい事で図１の金具を考案しました。
【０００６】鋼管に金具を固定する方法の原理としてはセルフロック機構を使用する事を考案しました、それは通常良く使われている事で、薄いプレート等に穴をあけ隙間の少ないシャフトを通してシャフトから偏心したところに力をかけるとプレートはスムーズに動かずにシャフトに引っ掛かります、力を強める程プレートはシャフトにますます食いつきます。
【０００７】図５に基いて説明すると使い方はまず、金具を使う前提として鋼管は長さ方向の動きは他の座金等で締め付け固定されているとして、図５の締め付けに使う鋼管イより僅かに大きい四角い穴貫通口５を、突き出た鋼管イに押し込んでボルトａを締め付けます、四角い穴は鋼管イより僅かに大きいだけですので、ボルトａを締め付けていって傾けていくと鋼管イに固定する状態になりセルフロックされます、ボルトａをさらに締め付けていくと今度は鋼管ロをせき板方向に押し付ける事になります、上下を逆にして同じ金物をもう一つ金具を使い四角い穴を鋼管ロに押し込んでボルトａを締めて鋼管イをせき板方向に押し付けます、２個の金具を同時に使う事になります図６、その時２個の金具のボルトは金具の４のロックプレートをそれぞれ互いに押さえつける事になり２個の金具はより一体になり固定度が増し溶接した時と同様な効果が期待できます。
【発明の効果】
【０００８】本発明の金具を交差した２本の鋼管にそれぞれ取り付けボルトを締め込んでいく作業は熟練した職人でなくても出来、金具はコンパクトなので素早く作業を進める事が出来ます、又従来のチェーンとターンバックルを使用した締め付けよりも確実で均一な作業が期待でき作業の合理化に貢献できます、この金具の用途は壁体だけではなく、従来コラムクランプで締め付けている角柱などにも使え、現場で壁等に使った鋼管を使い、本金具でコラムクランプの代わりに締め付ける事が出来、経費節約にも期待できます。
【図面の簡単な説明】
【０００９】  図１は金具の正面図である、図２は金具の平面図である、図３は側面図である、図４はＡ−Ａ‘断面図である、図５は鋼管に組み付けた状態の正面図である１個は省略、図６は２個組み付けた状態の斜視図である。
【符号の説明】１…締め付けボルト
２…本体
３…つめ
４…ロックプレート
５…貫通口
【実施例】
【００１０】本発明の実施例を説明します、本体は亜鉛メッキ鋼板をプレス加工にて成型してあり、振動等による緩みが無いように強く作ってあります、貫通口５は精度よく加工してあり、鋼管への通しやすさとセルフロック機能が良く作用しやすい様に考慮してあります、又貫通口を丸く加工することで丸パイプ用の金具としても使えます、つめ図１、３はボルトを締め付けた際に締め付けられた側の鋼管がずれるのを防いでいます、ロックプレートは金具を２個組み付けた時に相手側のボルトで押さえられる位置にありコンクリート打設時にバイブレーターで締め付けの鋼管等が振動した際の緩み止めの働きをします。
【図１】
2014001614.tif 000003
【図２】
2014001614.tif 000004
【図３】
2014001614.tif 000005
【図４】
2014001614.tif 000006
【図５】
2014001614.tif 000007
【図６】
2014001614.tif 000008
【手続補正書】
【提出日】平成24年8月6日(2012.8.6)
【手続補正２】
【補正対象書類名】明細書
【補正対象項目名】０００９
【補正方法】変更
【補正の内容】
【０００９】
【図１】  金具の正面図である。
【図２】  金具の平面図である。
【図３】  金具の側面図である。
【図４】  Ａ−Ａ‘断面図である。
【図５】  鋼管に組み付けた状態の正面図である、１個は省略。
【図６】  ２個組み付けた状態の斜視図である。
【符号の説明】
１…締め付けボルト
２…本体
３…つめ
４…ロックプレート
５…貫通口
(57)【要約】【課題】本発明の課題は、木材や金属等の被研磨材の研磨を行なうオービタルサンダで、ベースの回転止めとなるレッグが早期破損してしまうという問題があった。【解決手段】ベースの側面に弾性部材を設けてベースの回転止めとすることで、従来のレッグのように弾性部材には剪断方向の力がかかりにくいため、破損しにくく、製品寿命を向上させることができる。【選択図】図１
2014058011.tif 000002
【特許請求の範囲】
【請求項１】
内部にモータを有する本体と、前記本体の下部に設けられ前記モータの回転運動を受けて偏心運動を行なうベースとを有するオービタルサンダにおいて、前記ベースの側面とハウジングとの間に弾性部材を設けたオービタルサンダ。
【発明の詳細な説明】
【技術分野】
【０００１】
本発明はオービタルサンダに関する。
【背景技術】
【０００２】
従来のオービタルサンダは、本体ハウジングの下方にモータの出力軸を突出させ、その出力軸に、出力軸の軸心から偏心した位置でベースを直交状に連結して、モータの駆動に伴ってベースに偏心運動（オービタル運動）をさせることで被研磨材を研磨可能となっている。又、このようなオービタルサンダは、ベース自身が偏心運動と連動して回転しないようにレッグによってベースとハウジングが接続されている。
【先行技術文献】
【特許文献】
【０００３】
【特許文献１】特開２００８−１００３０２号公報
【発明の概要】
【発明が解決しようとする課題】
【０００４】
特許文献１に示すような従来の電動工具では、ハウジングとベースをレッグで接続することで、ベースの回転を規制しているが、この方式では、ベースの偏心運動によってレッグに剪断方向の力が発生するため、レッグの早期破損が問題となっている。
【０００５】
本発明の目的は、上記欠点を解消し、製品寿命を向上させたオービタルサンダを提供することである。
【課題を解決するための手段】
【０００６】
上記目的は、内部にモータを有する本体と、本体下部に設けられモータの回転運動を受けて偏心運動を行なうベースとを有し、ベースの側面とハウジングとの間に弾性部材を設けたオービタルサンダを提供することで達成することができる。
【発明の効果】
【０００７】
本発明のオービタルサンダでは、ベース側面に弾性部材を設けてベース自身の回転運動のみを規制するため、従来のレッグのように剪断方向の力がかからず、かかる力も小さくなるため、破損しにくく、製品寿命を延ばすことができ、破損しても容易に交換することができる。
【０００８】
また、従来品ではレッグを変形させながら偏心運動を行うため、作業を行わなくても常にモータに負荷がかかった状態になっていた。本発明では、偏心運動を規制しないため従来品に比べエネルギーロスを減らすことができる。
【図面の簡単な説明】
【０００９】
【図１】本発明電動工具の一実施形態を示した正面図である。
【図２】図１の底面図である。
【図３】図１の起動時の底面図である。
【発明を実施するための最良の形態】
【００１０】
本発明電動工具の一実施形態を図１〜図３を用いて説明する。
【００１１】
図１はオービタルサンダ１の正面図を示しており、図２ではその底面図を示している。また図３はオービタルサンダを起動させたときの底面図を示している。
【００１２】
本体ハウジング２内には出力軸を有するモータ６が下方に向け内蔵されている。モータ６にはファン７が取り付けられており、ファン７には第１軸受９を介しベース５が取り付けられている。モータ６とベース５の回転軸がずれるようにファン７が作られており、モータ６が駆動することで、ベース５が偏心運動を行う。
【００１３】
ベース５の側面に弾性部材（板バネ）３を配置する構造となっており、弾性体（板バネ）３とハウジング２の間には隙間が空いているため、製品を起動すると図３に示すように弾性部材（板バネ）３が本体ハウジング２に当たり、ベース５の回転運動のみを規制する。その際、回転運動による力は第２軸受１０によってほとんど逃がされるため、弾性部材（板バネ）３にかかる力は小さくなる。
【００１４】
また、図２に示すように、弾性部材（板バネ）３はベース５に取り付け、パッド４で挟むことで固定しているため、弾性部材（板バネ）３が破損した場合はパッド４のみを取り外すだけで交換が可能となり、修理を容易に行うことができる。
【符号の説明】
【００１５】
１：オービタルサンダ
２：本体ハウジング
３：弾性部材（板バネ）
４：パッド
５：ベース
６：モータ
７：ファン
８：ファンガイド
９：第１軸受
１０：第２軸受
【図１】
2014058011.tif 000003
【図２】
2014058011.tif 000004
【図３】
2014058011.tif 000005
(57)【要約】      （修正有）【課題】流体ポンプのポンプ要素におけるキャビテーションの発生を抑制する。【解決手段】流体ポンプとしては、軸流ポンプや遠心ポンプがある。ポンプの設計は、一般に、経験に基づいてなされ、ブレード角βと入射角αとの関係については、互いに独立したものとして設計されている。ブレード２０への入射角α、およびブレード角βを有するブレードを備えるポンプ要素の設計において、α／βの比の値が約０．３よりも小さくなるように入射角αをブレード角βの関数として設計する。【選択図】図１
2014058980.tif 000002
【特許請求の範囲】
【請求項１】
入射角αおよびブレード角βを有するブレードを備え、比α／βの値が約０．３よりも小さいことを特徴とするポンプ要素。
【請求項２】
上記α／βの値が約０．３よりも小さい正の数であることを特徴とする請求項１に記載のポンプ要素。
【請求項３】
上記α／βの値が約０．３よりも小さい負の数であることを特徴とする請求項１に記載のポンプ要素。
【請求項４】
ポンプ要素のブレードへの入射角αが、ブレード角βに対して、ほぼα＝０．３βの関係をもつ従属変数となるように、入射角αをブレード角βの関数として選択することを含む、ポンプ要素設計方法。
【発明の詳細な説明】
【技術分野】
【０００１】
本発明は、ポンプに関し、詳しくは、ポンプの設計方法に関する。
【背景技術】
【０００２】
流体ポンプとしては、軸流ポンプや遠心ポンプがある。ポンプの設計は、一般に、経験に基づいてなされ、ブレード角βと入射角αとの関係については、互いに独立したものとして設計されている。
【発明の概要】
【発明が解決しようとする課題】
【０００３】
流体ポンプのポンプ要素におけるキャビテーションの発生を抑制する。
【課題を解決するための手段】
【０００４】
ブレードへの入射角α、およびブレード角βを有するブレードを備えるポンプ要素の設計において、α／βの比の値が約０．３よりも小さくなるように入射角αをブレード角βの関数として設計する。
【図面の簡単な説明】
【０００５】
【図１】ブレード前縁を示す展開図。
【発明を実施するための形態】
【０００６】
図１は、ポンプ要素のブレード２０を展開して示す。ポンプ要素としては、インデューサやインペラがある。
【０００７】
静圧の大きさが、流体の蒸気圧の大きさよりも低下すると、ポンプ要素にキャビテーションが発生する。流体力学では、多様なキャビテーションが発生することが知られている。
【０００８】
本明細書中に記載されているパラメータとしては、ブレード間距離ｄと、接線に対するブレード角βと、ブレード正圧面に対する流体の入射角αと、入射相対速度ｗ１と、キャビティ崩壊位置における相対速度ｗ２と、を含む。ブレード間の流路面積を大きくするために、パラメータｄを大きくすることができる。本明細書中に開示するポンプ設計プロセスにおいては、ブレード２０の数を減らすことによって、ブレード間距離ｄの値が大きく設定される。
【０００９】
式（１）に示す流速係数（ｆｌｏｗ  ｃｏｅｆｆｉｃｉｅｎｔ）φは、入口子午面速度（ｉｎｌｅｔ  ｍｅｒｉｄｉｏｎａｌ  ｖｅｌｏｃｉｔｙ）Ｃm、ブレード速度Ｕ、ブレード角β、および入射角αの関係を定義する。
【００１０】
φ＝Ｃm／Ｕ＝ｔａｎ（β−α）          …（１）
本明細書中に開示する設計方法においては、最初に流速係数φが決められる。このインデューサ流速係数φは、所与のアプリケーションに対して経験的に定められる。インデューサの設計プロセスにおいて、流速係数φは、一般に独立変数であるので、ブレード角βと入射角αとの差は、固定的に定まる。しかし、ブレード角βと入射角αとの比は、制御することができる。換言すれば、α／βの値を選択することができる。このα／βの値は、一実施例においては、０．３以下となるように選択される。例えば、以下の式（２）のように定義される。
【００１１】
α＝０．３β              …（２）
ブレードの数を少なくしてかつα／βの値を小さくするという設計を用いることによって、キャビテーションによって誘発される振動の振幅が小さくなる。α／βの値が小さいことで、キャビテーションが防止ないし抑制されるとともに、流路面積が増えることによって、吸込性能が向上する。式（１）に式（２）を代入すると、次の式（３）が得られる。
φ＝ｔａｎ（０．７β）            …（３）
すなわち、流速係数φの値が既知であるので、式（３）をβについて解くことによって、βの値が得られる。さらにβの値を式（２）に代入することによって、αの値を得ることができる。
【００１２】
入射角を独立変数とする従来の設計とは異なり、本明細書中に開示した設計方法においては、入射角αをブレード角βの関数とし、入射角αが実質的に従属変数となるようにする。
【００１３】
図示した実施例において、特定の構成要素の構成を開示しているが、他の構成にも本発明は適用可能である。特定のステップの手順を示して説明し、特許請求の範囲に記載しているが、これらのステップは、特に示さない限り、別々にされ或いは組み合わされた種々の順序で実行することができ、その場合にも本発明は適用可能である。
【００１４】
上記の説明は、例示であり、当業者であれば、本発明のさまざまな変更や変形がなされ得ることを理解されよう。
【符号の説明】
【００１５】
２０  ブレード
ｄ  ブレード間距離
α  入射角
β  ブレード角
【図１】
2014058980.tif 000003
【手続補正書】
【提出日】平成25年11月28日(2013.11.28)
【手続補正１】
【補正対象書類名】特許請求の範囲
【補正対象項目名】全文
【補正方法】変更
【補正の内容】
【特許請求の範囲】
【請求項１】
入射角αおよびブレード角βを有するブレードを備え、比α／βの値が約０．３よりも小さいことを特徴とするポンプ要素。
【請求項２】
上記α／βの値が約０．３よりも小さい正の数であることを特徴とする請求項１に記載のポンプ要素。
【請求項３】
上記α／βの値が約０．３よりも小さい負の数であることを特徴とする請求項１に記載のポンプ要素。
(57)【要約】      （修正有）【課題】環境がよくなりガソリンの枯渇をふせぐ。【解決手段】風車が回り電気を起こし走る電気自動車。【選択図】図１
2014058960.tif 000002
【特許請求の範囲】
【請求項１】
自動車  軽自動車  バス  トラック  車全般
【発明の詳細な説明】
【技術分野】
【０００１】風車が回わり電気をおこし2014058960.tif 000003
【背景技術】
【０００２】風車と電気をつなぐ事
【先行技術文献】
【特許文献】
【特許文献】風車が回り電気をおこす事
【０００３】
【特許文献１】
【特許文献２】
【非特許文献】
【０００４】
【非特許文献１】
【非特許文献２】
【発明の概要】
【発明が解決しようとする課題】
【０００５】
【課題を解決するための手段】
【０００６】
【発明の効果】
【０００７】社会的クリーンになる環境がよくなりガソリンの枯渇をふせぐ
【図面の簡単な説明】
【０００８】
【図１】屋根の上に（車の）風車をつける
【図２】
【図】
【図】
【発明を実施するための形態】
【０００９】
【実施例】
【００１０】
【産業上の利用可能性】
【００１１】大変経済的になる
【符号の説明】
【００１２】
【図１】
2014058960.tif 000004
【図２】
2014058960.tif 000005
【図３】
2014058960.tif 000006
【手続補正書】
【提出日】平成25年2月2日(2013.2.2)
【手続補正１】
【補正対象書類名】明細書
【補正対象項目名】０００８
【補正方法】変更
【補正の内容】
【０００８】
【図１】屋根の上に（車の）風車をつける
【図２】風車をつけた車の正面図
【図３】風車をつけた上方から見た図
【図４】風車をつけた車の背面図
【手続補正３】
【補正対象書類名】図面
【補正対象項目名】全図
【補正方法】変更
【補正の内容】
【図１】
2014058960.tif 000007
【図２】
2014058960.tif 000008
【図３】
2014058960.tif 000009
【図４】
2014058960.tif 000010
(57)【要約】      （修正有）【課題】誰でも簡単に着られ、しかも扱いが楽な襦袢不要、着付師無用の着物を提供する。【解決手段】単体の襦袢半襟に装着しているスナップ１を着物本体の襟裏に装着してあるスナップの位置２でとめる。先に単体の半襟に装着してあるマジックテープ（登録商標）を重ね合わして適当（好み）な形状にする。着物の背の位置９に装着してある輪状の伸縮性ゴム紐を、その上部の位置８の布製ボタン８に引っ掛ける。同じく背の位置１０ａ，ｂに対で装着してあるスナップをとめ余分な布を押さえる。次に着物脇の身八ッ口の下部に対で装着しているスナップをとめる。着装下前主襟（おもえり）の裏に装着してある布製ボタン５に、上前脇裏４の位置に装着してある輪状の伸縮性ゴム紐をボタンに引っ掛ける。次に上前主襟裏７に装着してある布製ボタンを、下前脇６に装着してある前述のゴム紐を同じく引っ掛ける。【選択図】図１
2014058764.tif 000002
【特許請求の範囲】
【請求項１】
生地部分に布製ボタンと輪状の紐を設けた事を特徴とする着物。
【請求項２】
着物本体に襦袢衿を装着できる事を特徴とする着物。
【請求項３】
着物の、身八ッ口と背中の部分にスナップの取り付けを特徴とする着物。
【請求項４】
第７頚推から踵（かかと）迄の丈を特徴とする着物。
【発明の詳細な説明】
【技術分野】
【０００１】この発明は、一人で簡単に着られる補助具付きの着物
【背景技術】
【０００２】従来の着物は、補助具無しの形状である。
【発明の概要】
【発明が解決しようとする課題】
【０００３】従来の着物は、一般的に一人では着難く着装師等の要する着装であった。
そこで、この発明は一人で簡単に着装できる着物を提供する事を課題とする。
【課題を解決するための手段】
【０００４】以上の課題を克服するために、第一発明は着物本体に数カ所補助具乃至スナップを装着した事である。
また、第二発明は、お端折りの部分を無くした事である。
【発明の効果】
【０００５】第一発明によれば、数カ所の補助具により、人の手を借りる事無く、容易に着装が出来、第二発明のお端折りを無くす事により、着物の裾さばきと裾の位置が簡単に調節出来る。
【図面の簡単な説明】
【０００６】
【図１】この発明の実施形態を示す図である。
【図２】この発明の実施形態を示す脇の側面拡大図である。
【発明を実施するための形態】
【０００７】この発明の実施形態を図１図２に示す。
本体の衿Ａと脇Ｂと背Ｃの位置にスナップを対にして設けている。又、単体の半襟Ｄにスナップ２を設け、着物本体Ａのスナップにその対として設けている。
着物本体の数カ所に布製ボタン（５、７、８）を本体に設け、そのボタンに本体数カ所にも対として輪状伸縮性ゴム（４、６、９）を設けている。
「実施形態の効果」
この実施形態によれば、装備はスナップと輪状ゴムの引っかけのみなので、未経験者でも着物をスムーズに着装する事が可能で裾が開けるのを防ぎ、外人の方、身障者の方にも対応出来る。
【意匠の説明】
【０００８】図面に符号１〜１１、ａ，ｂ，Ａ〜Ｃを付記する。
【符号の説明】
【０００９】  １        半襟とめ用スナップ              Ａ        下前衿先
２        主襟とめ用スナップ              Ｂ        身八ッ口
３ａ，ｂ  半襟重ね用マジックテープ        Ｃ        背
４        下前合わせ用ゴム紐
５        下前合わせ用布製ボタン
６        上前合わせ用ゴム紐
７        上前合わせ用布製ボタン
８        衿抜用布製ボタン
９        衿抜用ゴム紐
１０ａ，ｂ  背中整理スナップ
１１ａ，ｂ  身八ッ口整理スナップ
【図１】
2014058764.tif 000003
【図２】
2014058764.tif 000004